(57)【要約】【課題】  ケース内でのケーブルの位置決めが容易であり、特にケーブルを複数回巻回した場合であってもケーブルの装着を確実かつ容易としたノイズ吸収装置を提供する。【解決手段】  第一ケース部３及び第二ケース部４を有するケース２とケース２に内蔵されケーブルを挿通可能な貫通孔を有するコア５とを備えたノイズ吸収装置１において、第一ケース部３は第一周壁部３１と第一周壁部３１の両端をそれぞれ塞ぐ第一周壁部第一側壁部３２と第一周壁部第二側壁部３３とを有し、第一周壁部３１にはコア５を収納するコア収納部３１ａと第一周壁部第一側壁部３２近傍に配置され第一周壁部３１からケーブルの挿通方向と略直交する方向に延出されてケーブルを挟持する第一保持部第一腕部３４Ａ及び第一保持部第二腕部３４Ｂを有する第一ケーブル保持部３４とが設けられている。【選択図】図１
2007067051.tif 000002
【特許請求の範囲】
【請求項１】
ケースと、
該ケースに内蔵されケーブルを挿通可能な貫通孔を有するコアと、を備えたノイズ吸収装置であって、
該ケースは、第一合わせ面を有する第一ケース部と、第二合わせ面を有し該第一合わせ面と該第二合わせ面とが合わさった状態で少なくともコア収納空間を画成する第二ケース部とを有し、
該第一ケース部は、第一周壁部と、該第一周壁部の一端を塞ぐ第一周壁部第一側壁部と、該第一周壁部の他端を塞ぐ第一周壁部第二側壁部とを有し、該第一周壁部と該第一周壁部第一側壁部と該第一周壁部第二側壁部とのそれぞれの端面から該第一合わせ面が規定され
該第二ケース部は、第二周壁部と、該第二周壁部の一端を塞ぐ第二周壁部第一側壁部と、該第二周壁部の他端を塞ぐ第二周壁部第二側壁部とを有し、該第二周壁部と該第二周壁部第一側壁部と該第二周壁部第二側壁部とのそれぞれの端面から該第二合わせ面が規定され、
該第一合わせ面と該第二合わせ面とが合わさった状態で該第一周壁部第一側壁部と該第二周壁部第一側壁部とから第一壁が構成され、該第一周壁部第二側壁部と該第二周壁部第二側壁部とから第二壁が構成され、
該第一壁には、該ケーブルを挿通可能な第一ケーブル挿通孔が形成され、
該第二壁には、該ケーブルを挿通可能な第二ケーブル挿通孔が形成され、
第一周壁部には、該コアを収納するコア収納部と、該第一壁近傍に配置され第一周壁部から該ケーブルの挿通方向と略直交する方向に延出されて該ケーブルを挟持する第一腕部及び第二腕部を有するケーブル保持部と、が設けられていることを特徴とするノイズ吸収装置。
【請求項２】
該ケーブル保持部は、該ケーブルが該第一ケーブル挿通孔、該貫通孔、及び該第二ケーブル挿通孔に挿通された状態で、該第一腕部と該第二腕部との間に該ケーブルが配置される位置に設けられると共に、該第一腕部と該第二腕部とによって規定される隙間は、該ケーブルの外径と該貫通孔内を挿通可能な該ケーブルの本数との積より狭く、該第一腕部と該第二腕部とは弾性変形可能な材料により構成されていることを特徴とする請求項１に記載のノイズ吸収装置。
【請求項３】
該第一ケース部の該ケーブル保持部近傍であって該ケーブル挿通方向から見たときに該第一腕部と該第二腕部とによって規定される隙間の略中央位置には、該ケーブル層通方向と略直交する方向に突出するケーブル区画用突起が設けられ、該ケーブル区画用突起は、該ケーブルが該第一ケーブル挿通孔、該貫通孔、及び該第二ケーブル挿通孔に挿通された状態で該ケーブルと接触する位置に配置されていることを特徴とする請求項１または請求項２のいずれかに記載のノイズ吸収装置。
【請求項４】
該第一ケース部と該第二ケース部とが組み合わされた状態で、該第二ケース部の該ケーブル保持部と対向する位置には、該第二ケース部から該ケーブル保持部へ向かって延出されるケーブル押さえ部が設けられ、該ケーブル押さえ部の延出方向先端位置は、該ケーブルと接触可能な位置まで延出されていることを特徴とする請求項１から請求項３のいずれか一に記載のノイズ吸収装置。
【請求項５】
該第一ケース部の該コア収納部近傍には、該コアの該貫通孔の一方の開口から延出されて他方の開口へ挿入される該ケーブルを収納するケーブル収納部が形成されていることを特徴とする請求項１から請求項４のいずれか一に記載のノイズ吸収装置。
【請求項６】
該ケーブル保持部は、該第一腕部の先端部に設けられた第一フック部と、該第二腕部の先端部に設けられた第二フック部とを更に有し、
該第一フック部は該第一腕部の先端部から該第二腕部の先端部側に向けて先細り状に延出され、
該第二フック部は該第二腕部の先端部から該第一腕部の先端部側に向けて先細り状に延出されて構成されていることを特徴とする請求項１から請求項５のいずれか一に記載のノイズ吸収装置。
【発明の詳細な説明】
【技術分野】
【０００１】
本発明はノイズ吸収装置に関し、特に電源ケーブルに装着されるノイズ吸収装置に関する。
【背景技術】
【０００２】
従来、電子機器の電源ケーブルにおいて、電源より発生されるノイズを除去するために、フェライトコアを備えたノイズ吸収装置が電源ケーブルに取り付けられている。具体的には貫通孔が形成されたフェライトコアの貫通孔内に電源ケーブルを挿通し、フェライトコアが電源ケーブルに対して動かないように樹脂等のケースでフェライトコアを電源ケーブルに位置決めして保持している（例えば、特許文献１参照）。
【０００３】
また、ノイズの除去性能を向上させるべく、フェライトコアの一方の開口から挿入されて他方の開口から延出している電源ケーブルを再度一方の開口より挿入して他方の開口より延出する、即ち電源ケーブルをフェライトコア周りに巻回する技術が開示されている。
【０００４】
電源ケーブルをフェライトコア周りに巻回するには、予め貫通孔方向で半割されたフェライトコア及びケースを用い、半割された一方のフェライトコア及びケースにケーブルを巻回した後に半割された他方のフェライトコア及びケースと接合する。この場合に、フェライトコア若しくはケースにより電源ケーブルを狭持して、ノイズ吸収装置に対する電源ケーブルのずれを抑制していた。
【特許文献１】特開平５−２９１５１号公報
【発明の開示】
【発明が解決しようとする課題】
【０００５】
しかし、半割にされたフェライトコア及びケースにケーブルを巻回する際には、フェライトコア及びケースに対して電源ケーブルは何ら位置決めまたは支持されておらず、電源ケーブルを巻回後、ケースを閉めるまでの間に電源ケーブルが緩む場合があった。また電源ケーブルがフェライトコア及びケースに対して固定または支持されていないため、ケースを閉める際に電源ケーブルの位置が安定しておらず、ケースを閉め難いことがあった。
【０００６】
そこで、本発明は、ケース内でのケーブルの位置決めが容易であり、特にケーブルを複数回巻回した場合であってもケーブルの装着を確実かつ容易としたノイズ吸収装置を提供することを目的とする。
【課題を解決するための手段】
【０００７】
上記課題を解決するために本発明は、ケースと、ケースに内蔵されケーブルを挿通可能な貫通孔を有するコアと、を備えたノイズ吸収装置を提供する。このノイズ吸収装置において、ケースは、第一合わせ面を有する第一ケース部と、第二合わせ面を有し第一合わせ面と第二合わせ面とが合わさった状態で少なくともコア収納空間を画成する第二ケース部とを有し、第一ケース部は、第一周壁部と、第一周壁部の一端を塞ぐ第一周壁部第一側壁部と、第一周壁部の他端を塞ぐ第一周壁部第二側壁部とを有し、第一周壁部と第一周壁部第一側壁部と第一周壁部第二側壁部とのそれぞれの端面から第一合わせ面が規定され、第二ケース部は、第二周壁部と、第二周壁部の一端を塞ぐ第二周壁部第一側壁部と、第二周壁部の他端を塞ぐ第二周壁部第二側壁部とを有し、第二周壁部と第二周壁部第一側壁部と第二周壁部第二側壁部とのそれぞれの端面から第二合わせ面が規定され、第一合わせ面と第二合わせ面とが合わさった状態で第一周壁部第一側壁部と第二周壁部第一側壁部とから第一壁が構成され、第一周壁部第二側壁部と第二周壁部第二側壁部とから第二壁が構成され、第一壁には、ケーブルを挿通可能な第一ケーブル挿通孔が形成され、第二壁には、ケーブルを挿通可能な第二ケーブル挿通孔が形成され、第一周壁部には、コアを収納するコア収納部と、第一壁近傍に配置され第一周壁部からケーブルの挿通方向と略直交する方向に延出されてケーブルを挟持する第一腕部及び第二腕部を有するケーブル保持部と、が設けられている。
【０００８】
このような構成のノイズ吸収装置によると、第一ケース部と第二ケース部とが組み合わせられていない状態であっても、ケースによりケーブルが保持される。よって、コア及びケースにケーブルを巻回する際にケースが組み合わされていない状態であっても、ケーブルが緩むことを防止することができる。またケーブルがケースに保持されているため、ケーブルが特定の位置からズレ難くなってばたつきが抑えられ、ケースを組み合わせるときにも、ケーブルが邪魔になることが抑制される。
【０００９】
上記構成のノイズ吸収装置において、ケーブル保持部は、ケーブルが第一ケーブル挿通孔、貫通孔、及び第二ケーブル挿通孔に挿通された状態で、第一腕部と第二腕部との間にケーブルが配置される位置に設けられると共に、第一腕部と第二腕部とによって規定される隙間は、ケーブルの外径と貫通孔内を挿通可能なケーブルの本数との積より狭く、第一腕部と第二腕部とは弾性変形可能な材料により構成されていることが好ましい。
【００１０】
このような構成のノイズ吸収装置によると、ケースのケーブルを保持する箇所から、ケーブルが外れ難くなる。よって安定してケーブルを保持することが可能となり、ケーブルの緩みや、ばたつきが更に押さえられる。
【００１１】
また、第一ケース部のケーブル保持部近傍であってケーブル挿通方向から見たときに第一腕部と第二腕部とによって規定される隙間の略中央位置には、ケーブル層通方向と略直交する方向に突出するケーブル区画用突起が設けられ、ケーブル区画用突起は、ケーブルが第一ケーブル挿通孔、貫通孔、及び第二ケーブル挿通孔に挿通された状態でケーブルと接触する位置に配置されていることが好ましい。
【００１２】
このような構成のノイズ吸収装置によると、ケーブルを巻回してケース内に複数のケーブルが配置される場合であっても、各ケーブルの位置が正確に規定されるため、安定してケーブルを保持することができる。
【００１３】
また、第一ケース部と第二ケース部とが組み合わされた状態で、第二ケース部のケーブル保持部と対向する位置には、第二ケース部からケーブル保持部へ向かって延出されるケーブル押さえ部が設けられ、ケーブル押さえ部の延出方向先端位置は、ケーブルと接触可能な位置まで延出されていることが好ましい。
【００１４】
このような構成のノイズ吸収装置によると、ケーブルをケーブル保持部の方へ付勢することができる。よってケーブル保持部で保持されているケーブルがケーブル保持部から外れ難くなり、より好適にケーブルを保持することができる。
【００１５】
また、第一ケース部のコア収納部近傍には、コアの貫通孔の一方の開口から延出されて他方の開口へ挿入されるケーブルを収納するケーブル収納部が形成されていることが好ましい。
【００１６】
このような構成のノイズ吸収装置によると、ケーブル収納部にケーブルを収納することができるため、より好適にケーブルを保持することができ、ケーブルの緩みやばたつきを更に押さえることができる。またケーブルの巻回部分をケース内に収めることができるため、ノイズ吸収装置全体として、引っ掛かり部分を無くすことができる。
【００１７】
また、ケーブル保持部は、第一腕部の先端部に設けられた第一フック部と、第二腕部の先端部に設けられた第二フック部とを更に有し、第一フック部は第一腕部の先端部から第二腕部の先端部側に向けて先細り状に延出され、第二フック部は第二腕部の先端部から第一腕部の先端部側に向けて先細り状に延出されて構成されていることが好ましい。
【００１８】
このような構成のノイズ吸収装置によると、第一腕部と第二腕部との間にケーブルを保持した際に、ケーブルが抜け難くなる。また第一腕部と第二腕部との間へのケーブルの落とし込みによる挿入が容易となる。
【発明の効果】
【００１９】
本発明のノイズ吸収装置によれば、ケース内でのケーブルの位置決めが容易であり、特にケーブルを複数回巻回した場合であってもケーブルの装着を確実かつ容易に行うことができる。
【発明を実施するための最良の形態】
【００２０】
以下、本発明の第一の実施の形態によるノイズ吸収装置について図１から図４を参照しながら説明する。図１に示されるノイズ吸収装置１は、ケース２とコア５とから構成され、コア５内に形成された貫通孔内にケーブル９（図２）を挿通させることが可能となっている。尚、図１〜図３においては、ケース２を開いた状態、即ちケーブル９を取付可能な状態としている。
【００２１】
ケース２は弾性を備えた樹脂を素材として、第一ケース部３と、第二ケース部４とから構成されている。第一ケース部３と第二ケース部４との間には、ヒンジ部２Ａ及びヒンジ部２Ｂが設けられて第一ケース部３と第二ケース部４とを一体としている。
【００２２】
第一ケース部３は、第一周壁部３１と、第一周壁部３１の一端を塞ぐ第一周壁部第一側壁部３２と、第一周壁部３１の他端を塞ぐ第一周壁部第二側壁部３３とから構成されている。以下、第一周壁部３１の一端から他端へと向かう方向をｘ軸方向と定義する。第一周壁部３１は、ｘ軸方向と直交する方向の端部である後述の第一ケース第二接合面３１Ｄでヒンジ部２Ａ及びヒンジ部２Ｂの一側部に一体に接続されており、ヒンジ部２Ａ及びヒンジ部２Ｂの他側部には第二ケース部４が一体に接続されている。第一ケース部３から第二ケース部４に向かう方向であってｘ軸方向と直交する方向をｙ軸方向と定義する。またｘ軸方向、ｙ軸方向それぞれに直交する方向をｚ軸方向と定義する。
【００２３】
図１に示されるように、第一周壁部第一側壁部３２は円板を略半分に切断した形状に構成されており、その切断面となる第一ケース第三接合面３２Ａは、第一ケース第二接合面３１Ｄと同一平面上に位置している。第一周壁部第一側壁部３２と同様に第一周壁部第二側壁部３３も円板を略半分に切断した形状に構成されており、その切断面となる第一ケース第四接合面３３Ａは、第一ケース第三接合面３２Ａ及び第一ケース第二接合面３１Ｄと同一平面上に位置している。また第一周壁部第一側壁部３２と第一周壁部第二側壁部３３とは略平行となるように配置されている。
【００２４】
第一ケース第三接合面３２Ａのｙ軸方向略中央部分には、ｘ軸方向に延びる半円弧状の第一ケーブル挿通溝３２ａが形成されており、第一ケース第四接合面３３Ａのｙ軸方向略中央部分には、ｘ軸方向に延びる半円弧状の第二ケーブル挿通溝３３ａが形成されている。
【００２５】
また第一周壁部第一側壁部３２のｙ軸方向において後述の第一ケース第一接合面３１Ａ側端部であって、第一ケース第三接合面３２Ａ近傍から第一周壁部第二側壁部３３側へと向けて第一ケーブル爪部３２Ｂが突出している。第一周壁部第二側壁部３３のｙ軸方向において第一ケース第一接合面３１Ａ側端部であって、第一ケース第四接合面３３Ａ近傍から第一周壁部第一側壁部３２側へと向けても第二ケーブル爪部３３Ｂが突出しており、第一ケーブル爪部３２Ｂと第二ケーブル爪部３３Ｂとは、互いに対向する位置に配置されている。
【００２６】
第一周壁部３１は、上述のようにｙ軸方向一端であってヒンジ部２Ａ及びヒンジ部２Ｂと連なる位置に第一ケース第二接合面３１Ｄを有し、ｙ軸方向他端に第一ケース第一接合面３１Ａを有している。第一ケース第一接合面３１Ａは、第一ケース第二接合面３１Ｄ、第一ケース第三接合面３２Ａ、及び第一ケース第四接合面３３Ａと同一平面上に位置している。また第一周壁部３１のｙ−ｚ断面において、第一ケース第二接合面３１Ｄ側は第一ケース第二接合面３１Ｄを端面として第一周壁部第一側壁部３２及び第一周壁部第二側壁部３３の円周に沿った略円弧状を成しており、第一ケース第一接合面３１Ａ側は第一ケース第一接合面３１Ａを端面として上述した略円弧状部分から延びる斜面状に構成されている。これら第一ケース第一接合面３１Ａ、第一ケース第二接合面３１Ｄ、第一ケース第三接合面３２Ａ、及び第一ケース第四接合面３３Ａから第一合わせ面が構成される。
【００２７】
また図１に示されるように、第一周壁部３１であって、ｘ−ｙ平面において、第一ケーブル挿通溝３２ａから第二ケーブル挿通溝３３ａを結ぶ直線上には、第一ケーブル挿通溝３２ａ側から順に、第一ケーブル保持部３４、第一コア第一付勢部３１Ｂ、第一コア第二付勢部３１Ｃ、及び第二ケーブル保持部３５が設けられている。
【００２８】
第一コア第一付勢部３１Ｂ及び第一コア第二付勢部３１Ｃは、何れも第一周壁部３１を構成する壁の一部を略Ｕ字状に切り抜き、第一周壁部３１と連結される箇所を基端として第一ケース部３内に折り曲げられて形成されている。
【００２９】
図３に示されるように、第一ケーブル保持部３４は、第一周壁部第一側壁部３２近傍の第一周壁部３１内面から略ｚ軸方向と略平行に延出された第一保持部第一腕部３４Ａと第一保持部第二腕部３４Ｂとから構成されている。第一保持部第一腕部３４Ａと第一保持部第二腕部３４Ｂとの間の隙間の距離は、ケーブル９の外径より狭くなるように構成されている。第一保持部第一腕部３４Ａと第一保持部第二腕部３４Ｂとの先端部分には、それぞれ第一保持部第一フック３４Ｃと第一保持部第二フック３４Ｄとが設けられている。第一保持部第一フック３４Ｃは、第一保持部第一腕部３４Ａの先端から第一保持部第二腕部３４Ｂの先端側へ向かって突出しており、ｙ−ｚ平面において、その突出方向に向かって先細りするようにテーパー状に構成されている。第一保持部第二フック３４Ｄは、第一保持部第二腕部３４Ｂの先端から第一保持部第一腕部３４Ａの先端側へ向かって突出しており、ｙ−ｚ平面において、その突出方向に向かって先細りするようにテーパー状に構成されている。尚、第一保持部第一腕部３４Ａと第一保持部第二腕部３４Ｂとは、互いの中間位置を通るｚ−ｘ平面において面対称な構成となっている（図１）。
【００３０】
第二ケーブル保持部３５は、第一ケーブル保持部３４と同様な構成であり、第一周壁部第二側壁部３３近傍の第一周壁部３１内面から略ｚ軸方向と略平行に延出された第二保持部第一腕部３５Ａと第二保持部第二腕部３５Ｂとから構成されている。第二保持部第一腕部３５Ａと第二保持部第二腕部３５Ｂとの間の隙間もケーブル９の外径より狭くなるように構成されている。また第二保持部第一腕部３５Ａと第二保持部第二腕部３５Ｂとの先端部分には、互いに向かって突出する第二保持部第一フック３５Ｃ（図１）と第二保持部第二フック３５Ｄ（図１）とがそれぞれ設けられており、それぞれ突出方向に向かって先細りするようにテーパー状に構成されている。
【００３１】
図１及び図２に示されるように、第一ケーブル保持部３４と第二ケーブル保持部３５との間の第一周壁部３１内面から、第一ケース第一コア保持部材３７Ａ、第一ケース第二コア保持部材３７Ｂ、第一ケース第三コア保持部材３７Ｃ、第一ケース第四コア保持部材３７Ｄがそれぞれｚ軸方向と略平行に第一ケース第一接合面３１Ａ及び第一ケース第二接合面３１Ｄを含む平面近傍まで延出されて設けられている。
【００３２】
図２に示されるように、第一ケース第一コア保持部材３７Ａ及び第一ケース第二コア保持部材３７Ｂは、ｘ軸方向において第一ケーブル保持部３４近傍であって同一位置に配置されており、ｙ軸方向において、第一ケース第一コア保持部材３７Ａと第一ケース第二コア保持部材３７Ｂとの間の略中間位置に第一ケーブル保持部３４が配置されるように、第一ケース第一コア保持部材３７Ａと第一ケース第二コア保持部材３７Ｂとが互いに離間して配置されている。
【００３３】
第一ケース第三コア保持部材３７Ｃ及び第一ケース第四コア保持部材３７Ｄは、ｘ軸方向において第二ケーブル保持部３５近傍であって同一位置に配置されており、ｙ軸方向において、第一ケース第三コア保持部材３７Ｃと第一ケース第四コア保持部材３７Ｄとの間の略中間位置に第二ケーブル保持部３５が配置されるように、第一ケース第三コア保持部材３７Ｃと第一ケース第四コア保持部材３７Ｄとが互いに離間して配置されている。
【００３４】
ｙ軸方向において、第一ケース第一コア保持部材３７Ａと第一ケース第三コア保持部材３７Ｃが略同一位置に設けられており、第一ケース第二コア保持部材３７Ｂと第一ケース第四コア保持部材３７Ｄが略同一位置に設けられている。
【００３５】
また、第一ケース第一コア保持部材３７Ａ、第一ケース第二コア保持部材３７Ｂ、第一ケース第三コア保持部材３７Ｃ、第一ケース第四コア保持部材３７Ｄのそれぞれには、延出方向端部位置に延出方向と直交する方向に突出する爪部が設けられており、第一ケース第一コア保持部材３７Ａの爪部と第一ケース第三コア保持部材３７Ｃの爪部とが互いに対向するように配置され、第一ケース第二コア保持部材３７Ｂの爪部と第一ケース第四コア保持部材３７Ｄの爪部とが互いに対向するように配置されている。
【００３６】
図１及び図２に示されるように、第一ケース第二コア保持部材３７Ｂと第一ケース第四コア保持部材３７Ｄとのｘ軸方向第一ケース第一接合面３１Ａ側近傍には、それぞれ第一ケーブル保持壁３６Ａと第二ケーブル保持壁３６Ｂとがそれぞれ設けられている。第一ケーブル保持壁３６Ａと第二ケーブル保持壁３６Ｂとは第一周壁部３１内面からｚ軸方向と略平行に延出されており、その頂面が第一ケース第一接合面３１Ａ及び第一ケース第二接合面３１Ｄを含む平面と略同一平面となっている。
【００３７】
図２に示されるように、第一ケーブル保持壁３６Ａは、ｘ−ｙ平面上において、ｙ軸方向に延びｘ軸方向で第一ケース第一コア保持部材３７Ａ及び第一ケース第二コア保持部材３７Ｂと同一位置にある第一壁と、第一壁の第一ケース第一接合面３１Ａ側端部からｘ軸方向第一周壁部第二側壁部３３側に延びる第二壁とから構成されている。第二ケーブル保持壁３６Ｂは、ｘ−ｙ平面上において、ｙ軸方向に延びｘ軸方向で第一ケース第三コア保持部材３７Ｃ及び第一ケース第四コア保持部材３７Ｄと同一位置にある第一壁と、第一壁の第一ケース第一接合面３１Ａ側端部からｙ軸方向第一周壁部第一側壁部３２側に延びる第二壁とから構成されている。また第一ケーブル保持壁３６Ａの第二壁と第二ケーブル保持壁３６Ｂの第二壁とはｙ軸方向において同一位置にあり、第一ケース第二接合面３１Ｄの第一ケーブル保持壁３６Ａ及び第二ケーブル保持壁３６Ｂ側辺から第一ケーブル保持壁３６Ａの第二壁及び第二ケーブル保持壁３６Ｂの第二壁までの距離は、後述のコア５直径と略同一に構成されている。
【００３８】
これら第一ケーブル保持壁３６Ａ、第二ケーブル保持壁３６Ｂ、第一ケース第一コア保持部材３７Ａ、第一ケース第二コア保持部材３７Ｂ、第一ケース第三コア保持部材３７Ｃ、第一ケース第四コア保持部材３７Ｄ、及び第一ケース第二接合面３１Ｄで囲まれた第一周壁部３１内空間から第一コア収納部３１ａが規定される。
【００３９】
また図１及び図２に示されるように、ｘ軸方向において、第一ケーブル保持壁３６Ａと第二ケーブル保持壁３６Ｂとの略中間位置であり、ｙ軸方向において第一ケーブル保持壁３６Ａ及び第二ケーブル保持壁３６Ｂと第一ケース第一接合面３１Ａとの間であって第一ケース第一接合面３１Ａ近傍位置にケーブル保持爪部３８が第一周壁部３１内面より延出されて設けられている。ケーブル保持爪部３８の延出方向先端部分には、ｙ軸方向第一ケーブル保持壁３６Ａ及び第二ケーブル保持壁３６Ｂ側方向に延出される爪部が設けられている。
【００４０】
これら第一ケーブル保持壁３６Ａ、第二ケーブル保持壁３６Ｂ、第一ケーブル爪部３２Ｂ、第二ケーブル爪部３３Ｂ、及びケーブル保持爪部３８で囲まれた第一周壁部３１内空間からケーブル収納部３１ｂが規定される。
【００４１】
また第一周壁部３１の第一ケース第一接合面３１Ａ近傍位置に、ｚ軸方向に向けて延出された第一掛止爪部３９Ａ、第二掛止爪部３９Ｂが設けられている。
【００４２】
第二ケース部４は、第二周壁部４１と、第二周壁部４１の一端を塞ぐ第二周壁部第一側壁部４２と、第二周壁部４１の他端を塞ぐ第二周壁部第二側壁部４３とから構成されており、ヒンジ部２Ａ、２Ｂのｙ軸方向略中央を通るｚ−ｘ平面に対して第一ケース部３と略同じ構成である。従って、第二ケース部４の構成部品及び形状のうち、第一ケース部３に設けられている構成部品と同じ構成を取っている部品及び形状、具体的には、第二ケース第一接合面４１Ａ、第二ケース第二接合面４１Ｄ、第二ケース第三接合面４２Ａ、第二ケース第四接合面４３Ａ、第二コア部第一付勢部４１Ｂ、第二コア第二付勢部４１Ｃ、第一保持壁４６Ａ、第二保持壁４６Ｂ、第二ケース第一コア保持部材４７Ａ、第二ケース第二コア保持部材４７Ｂ、第二ケース第三コア保持部材４７Ｃ、第二ケース第四コア保持部材４７Ｄ、第一ケーブル挿通溝４２ａ、第二ケーブル挿通溝４３ａ、及び第二コア収納部４１ａについては、第一ケース部３の構成部品及び形状と同一であるため、その説明を省略する。また第二ケース部４においては、第二ケース第一接合面４１Ａ、第二ケース第二接合面４１Ｄ、第二ケース第三接合面４２Ａ、及び第二ケース第四接合面４３Ａから第二合わせ面が構成される。
【００４３】
第二周壁部第一側壁部４２の第二ケース部４内面側位置であって第一ケーブル挿通溝４２ａ位置にｚ軸方向へ突出する第一ケーブル押さえ部４４が設けられており、第二周壁部第二側壁部４３の第二ケース部４内面側位置であって第二ケーブル挿通溝４３ａ位置にｚ軸方向へ突出する第二ケーブル押さえ部４５が設けられている。第一ケーブル押さえ部４４と第二ケーブル押さえ部４５との突出方向頂面は、ｚ軸方向において、それぞれ第一ケーブル挿通溝４２ａと第二ケーブル挿通溝４３ａとの溝最深部位置より上方に位置するように構成されている。
【００４４】
また第二周壁部４１の第二ケース第一接合面４１Ａ近傍位置に、第一掛止爪部３９Ａと係合可能な第一掛止孔４９ａ、第二掛止爪部３９Ｂと係合可能な第二掛止孔４９ｂが設けられている。
【００４５】
図一に示されるようにコア５は、略円筒状のフェライト基材を直径方向に半割りにした第一コア部６と第二コア部７とから構成されている。
【００４６】
第一コア部６は、半割りされた切断面である第一コア第一面６Ａと第一コア第二面６Ｂとを備え、第一コア第一面６Ａと第一コア第二面６Ｂとの間には、貫通孔の半分部分である第一コア溝６ａが形成されている。第一コア第一面６Ａ及び第一コア第二面６Ｂの貫通孔方向一端側には、それぞれ第一ケース第一コア保持部材３７Ａ及び第一ケース第二コア保持部材３７Ｂと係合可能な第一切り欠き６１ａ及び第二切り欠き６１ｂが形成されており、貫通孔方向他端側には、それぞれ第一ケース第三コア保持部材３７Ｃ及び第一ケース第四コア保持部材３７Ｄと係合可能な第三切り欠き６１ｃ及び第四切り欠き６１ｄが形成されている。
【００４７】
第二コア部７は、第一コア部６と同一形状に構成されており、第二コア第一面７Ａ及び第二コア第二面７Ｂを備え、第二コア溝７ａが形成され、第二コア第一面７Ａ及び第二コア第二面７Ｂの貫通好方向一端側及び他端側には、それぞれ第二ケース第一コア保持部材４７Ａ及び第二ケース第二コア保持部材４７Ｂと係合可能な第一切り欠き７１ａ、第二切り欠き７１ｂと、それぞれ第二ケース第三コア保持部材４７Ｃ及び第二ケース第四コア保持部材４７Ｄと係合可能な第三切り欠き７１ｃ及び第四切り欠き７１ｄとが形成されている。
【００４８】
図２に示されるように、上記構成の第一コア部６と第二コア部７とがそれぞれ第一コア収納部３１ａと第二コア収納部４１ａ内に収納される。この場合、例えば第一コア部６においては、第一切り欠き６１ａ、第二切り欠き６１ｂ、第三切り欠き６１ｃ、及び第四切り欠き６１ｄにそれぞれ第一ケース第一コア保持部材３７Ａ、第一ケース第二コア保持部材３７Ｂ、第一ケース第三コア保持部材３７Ｃ、第一ケース第四コア保持部材３７Ｄが掛止されて第一コア部６の第一合わせ面上方への移動が規制されると共に、第一コア第一付勢部３１Ｂ及び第一コア第二付勢部３１Ｃで第一コア部６が第一合わせ面上方へと付勢されるため、第一コア部６は、第一コア収納部３１ａから外れ難く成っている。第二コア部７においても同様の構成により、第二コア収納部４１ａから外れ難くなっている。
【００４９】
第一コア部６が第一コア収納部３１ａ内に収納された状態で、ケーブル９が第一ケース部３内に巻回される。具体的には、ケーブル９が第一ケーブル挿通溝３２ａ内に配置され、更に第一保持部第一腕部３４Ａと第一保持部第二腕部３４Ｂとの間に狭持される。そして第一コア溝６ａの軸方向一端から第一コア溝６ａ内に配線された後に第一コア溝６ａの他端から延出されてケーブル収納部３１ｂ内に配線される。この時に第二ケーブル爪部３３Ｂ、ケーブル保持爪部３８及び第一ケーブル爪部３２Ｂにより、ケーブル９がケーブル収納部３１ｂ内から外れることを防止しており、好適にケーブル９を保持することができ、ケーブル９の緩みやばたつきを押さえることができる。またケーブル９の巻回部分をケース２内に収めることができるため、ノイズ吸収装置１全体として、引っ掛かり部分を無くすことができる。
【００５０】
ケーブル収納部３１ｂ内に配されたケーブル９は再び第一コア溝６ａの一端から第一コア溝６ａ内に配線された後に第一コア溝６ａの他端から延出され、その後に第二保持部第一腕部３５Ａと第二保持部第二腕部３５Ｂとの間に狭持されると共に第二ケーブル挿通溝３３ａ内に配置されて第一ケース部３外へと延出される。ケーブル９は、第一ケース部３への巻始め、巻終わり位置に置いて、第一保持部第一腕部３４Ａと第一保持部第二腕部３４Ｂとの間、及び第二保持部第一腕部３５Ａと第二保持部第二腕部３５Ｂとの間に弾性的に狭持されているため、第一ケース部３のケーブルを保持する箇所である第一ケーブル挿通溝３２ａや第二ケーブル挿通溝３３ａ位置から、ケーブル９が外れ難くなる。よって、第一ケース部３と第二ケース部４とが組み合わせられていない状態であっても、第一ケース部３によりケーブル９が所定の位置に保持される。
【００５１】
第二ケース部４にも第一ケース部３と同様に、第２コア部７が取り付けられ、ケーブル９が第一ケース部３に保持された後に、第二ケース部４をヒンジ部２Ａ、２Ｂを支点として折り曲げ、第二ケース部４の第二合わせ面を第一ケース部３の第一合わせ面と合わせ、第一掛止爪部３９Ａ、第二掛止爪部３９Ｂが第一掛止孔４９ａ、第二掛止孔４９ｂ内に挿入されて掛止され、第一ケース部３と第二ケース部４とが一体となりケース２が構成される（図４）。この時に、ケーブル９は、第一ケース部３に保持されているため、ケーブル９が特定の位置からズレ難くなってばたつきが抑えられ、第一ケース部３と第二ケース部４とを閉じるときにも、ケーブル９が邪魔にならない。
【００５２】
ケース２が構成された状態で、第一周壁部第一側壁部３２と第二周壁部第一側壁部４２とから第一壁が構成され、第一ケーブル挿通溝３２ａと第一ケーブル挿通溝４２ａとから第一ケーブル挿通孔が形成される。また、第一周壁部第二側壁部３３と第二周壁部第二側壁部４３とから第二壁が構成され、第二ケーブル挿通溝３３ａと第二ケーブル挿通溝４３ａとから第二ケーブル挿通孔が形成される。この時に第一ケーブル挿通溝４２ａ近傍、第二ケーブル挿通溝４３ａ近傍にはそれぞれ第一ケーブル押さえ部４４と第二ケーブル押さえ部４５とが設けられており、ケーブル９を第一ケーブル保持部３４及び第二ケーブル保持部３５の方へ付勢することができる。よって第一ケーブル保持部３４及び第二ケーブル保持部３５で保持されているケーブル９が外れ難くなり、より好適にケーブル９を保持することができる。
【００５３】
次に本発明の第二の実施の形態によるノイズ吸収装置について図５から図８を参照しながら説明する。図５に示されるノイズ吸収装置１０１は、ケース１０２とコア１０５とから構成される。ノイズ吸収装置１０１は、第一の実施の形態に係るノイズ吸収装置１と異なり、ケース１０２外にループ状のケーブル１０９の一部が露出する（図６）。
【００５４】
図５に示されるように、ケース１０２は弾性を備えた樹脂を素材として、第一ケース部１０３と、第二ケース部１０４とから構成されている。第一ケース部１０３と第二ケース部１０４との間には、ヒンジ部１０２Ａ及びヒンジ部１０２Ｂが設けられて第一ケース部１０３と第二ケース部１０４とを一体としている。
【００５５】
第一ケース部１０３は、第一周壁部１３１と、第一周壁部１３１の一端を塞ぐ第一周壁部第一側壁部１３２と、第一周壁部１３１の他端を塞ぐ第一周壁部第二側壁部１３３とから構成されている。以下、第一周壁部１３１の一端から他端へと向かう方向をｘ軸方向と定義する。第一周壁部１３１は、ｘ軸方向と直交する方向の端部である後述の第一ケース第二接合面１３１Ｄでヒンジ部１０２Ａ及びヒンジ部１０２Ｂの一側部に一体に接続されており、ヒンジ部１０２Ａ及びヒンジ部１０２Ｂの他側部には第二ケース部１０４が接一体に続されている。よって第一ケース部１０３から第二ケース部１０４に向かう方向であってｘ軸方向と直交する方向をｙ軸方向と定義する。またｘ軸方向、ｙ軸方向それぞれに直交する方向をｚ軸方向と定義する。
【００５６】
第一周壁部第一側壁部１３２は円板を略半分に切断した形状に構成されており、その切断面となる第一ケース第三接合面１３２Ａは、第一ケース第二接合面１３１Ｄと同一平面上に位置している。第一周壁部第一側壁部１３２と同様に第一周壁部第二側壁部１３３も円板を略半分に切断した形状に構成されており、その切断面となる第一ケース第四接合面１３３Ａは、第一ケース第三接合面１３２Ａ及び第一ケース第二接合面１３１Ｄと同一平面上に位置している。また第一周壁部第一側壁部１３２と第一周壁部第二側壁部１３３とは略平行となるように配置されている。
【００５７】
第一ケース第三接合面１３２Ａのｙ軸方向略中央部分には、ｘ軸方向に延びる半円弧状の第一ケーブル挿通溝１３２ａが形成されており、第一ケース第四接合面１３３Ａのｙ軸方向略中央部分には、ｘ軸方向に延びる半円弧状の第二ケーブル挿通溝１３３ａが形成されている。
【００５８】
第一ケーブル挿通溝１３２ａ内面であってｙ軸方向略中間位置には、第一ケーブル区画用突起１３２Ｂが突出して設けられている。よって第一ケーブル挿通溝１３２ａ内には、第一ケーブル区画用突起１３２Ｂにより二分割された、第一挿通溝第一溝１３２ａ１と第一挿通溝第二溝１３２ａ２とが規定されている。第二ケーブル挿通溝１３３ａ内面であってｙ軸方向略中間位置には、第二ケーブル区画用突起１３３Ｂが突出して設けられている。よって第二ケーブル挿通溝１３３ａ内には、第二ケーブル区画用突起１３３Ｂにより二分割された、第二挿通溝第一溝１３３ａ１と第二挿通溝第二溝１３３ａ２とが規定されている。
【００５９】
第一周壁部１３１は、上述のようにｙ軸方向一端であってヒンジ部１０２Ａ及びヒンジ部１０２Ｂと連なる位置に第一ケース第二接合面１３１Ｄを有し、ｙ軸方向他端に第一ケース第一接合面１３１Ａを有している。第一ケース第一接合面１３１Ａは、第一ケース第二接合面１３１Ｄ、第一ケース第三接合面１３２Ａ、及び第一ケース第四接合面１３３Ａと同一平面上に位置している。また第一周壁部１３１は、第一周壁部１３１のｙ−ｚ軸方向の断面において第一ケース第二接合面１３１Ｄと第一ケース第一接合面１３１Ａとを両端面として第一周壁部第一側壁部１３２及び第一周壁部第二側壁部１３３の円周に沿った円弧状を成している。これら第一ケース第一接合面１３１Ａ、第一ケース第二接合面１３１Ｄ、第一ケース第三接合面１３２Ａ、及び第一ケース第四接合面１３３Ａから第一合わせ面が構成される。
【００６０】
また図５に示されるように、第一周壁部１３１であって、ｘ−ｙ平面において、第一ケーブル挿通溝１３２ａから第二ケーブル挿通溝１３３ａを結ぶ直線上には、第一ケーブル挿通溝１３２ａ側から順に、第一ケーブル保持部１３４、第一コア第一付勢部１３１Ｂ、第一コア第二付勢部１３１Ｃ、及び第二ケーブル保持部１３５が設けられている。
【００６１】
第一コア第一付勢部１３１Ｂ及び第一コア第二付勢部１３１Ｃは、何れも第一周壁部１３１を構成する壁の一部を略Ｕ字状に切り抜き、第一周壁部１３１と連結される箇所を基端として第一ケース部１０３内に折り曲げられて形成されている。
【００６２】
図７に示されるように、第一ケーブル保持部１３４は、第一周壁部第一側壁部１３２近傍の第一周壁部１３１内面から略ｚ軸方向と略平行に延出された第一保持部第一腕部１３４Ａと第一保持部第二腕部１３４Ｂとから構成されている。第一保持部第一腕部１３４Ａと第一保持部第二腕部１３４Ｂとの間の隙間の距離は、ケーブル１０９二本の外径の和より狭くなるように構成されている。第一保持部第一腕部１３４Ａと第一保持部第二腕部１３４Ｂとの先端部分には、それぞれ第一保持部第一フック１３４Ｃと第一保持部第二フック１３４Ｄとが設けられている。
【００６３】
第一保持部第一フック１３４Ｃは、第一保持部第一腕部１３４Ａの先端から第一保持部第二腕部１３４Ｂの先端側へ向かって延出されており、その先端部分が先細りするようにテーパー状に構成されている。第一保持部第二フック１３４Ｄは、第一保持部第二腕部１３４Ｂの先端から第一保持部第一腕部１３４Ａの先端側へ向かって延出されており、その先端部分が先細りするようにテーパー状に構成されている。尚、第一保持部第一腕部１３４Ａと第一保持部第二腕部１３４Ｂとは、互いの中間位置を通るｚ−ｘ平面において面対称な構成となっている。
【００６４】
第二ケーブル保持部１３５は、第一ケーブル保持部１３４と同様な構成であり、第一周壁部第二側壁部１３３近傍の第一周壁部１３１内面から略ｚ軸方向と略平行に延出された第二保持部第一腕部１３５Ａと第二保持部第二腕部１３５Ｂとから構成されている。第二保持部第一腕部１３５Ａと第二保持部第二腕部１３５Ｂとの間の隙間もケーブル１０９二本分の外径より狭くなるように構成されている。また第二保持部第一腕部１３５Ａと第二保持部第二腕部１３５Ｂとの先端部分には、互いに向かって延出された第二保持部第一フック１３５Ｃ（図５）と第二保持部第二フック１３５Ｄ（図５）とがそれぞれ設けられており、それぞれの先端部分が先細りするようにテーパー状に構成されている。
【００６５】
図５及び図６に示されるように、第一ケーブル保持部１３４と第二ケーブル保持部１３５との間の第一周壁部１３１内面から、第一ケース第一コア保持部材１３７Ａ、第一ケース第二コア保持部材１３７Ｂ、第一ケース第三コア保持部材１３７Ｃ、及び第一ケース第四コア保持部材１３７Ｄがそれぞれｚ軸方向と略平行に第一ケース第一接合面１３１Ａ及び第一ケース第二接合面１３１Ｄを含む平面近傍まで延出されて設けられている。
【００６６】
図６に示されるように、第一ケース第一コア保持部材１３７Ａ及び第一ケース第二コア保持部材１３７Ｂは、ｘ軸方向において第一ケーブル保持部１３４近傍であって同一位置に配置されており、ｙ軸方向において、第一ケース第一コア保持部材１３７Ａと第一ケース第二コア保持部材１３７Ｂとの間の略中間位置に第一ケーブル保持部１３４が配置されるように、第一ケース第一コア保持部材１３７Ａと第一ケース第二コア保持部材１３７Ｂとが互いに離間して配置されている。
【００６７】
第一ケース第三コア保持部材１３７Ｃ及び第一ケース第四コア保持部材１３７Ｄは、ｘ軸方向において第二ケーブル保持部１３５近傍であって同一位置に配置されており、ｙ軸方向において、第一ケース第三コア保持部材１３７Ｃと第一ケース第四コア保持部材１３７Ｄとの間の略中間位置に第二ケーブル保持部１３５が配置されるように、第一ケース第三コア保持部材１３７Ｃと第一ケース第四コア保持部材１３７Ｄとが互いに離間して配置されている。
【００６８】
またｙ軸方向において、第一ケース第一コア保持部材１３７Ａと第一ケース第三コア保持部材１３７Ｃが略同一位置に設けられており、第一ケース第二コア保持部材１３７Ｂと第一ケース第四コア保持部材１３７Ｄが略同一位置に設けられている。
【００６９】
第一ケース第一コア保持部材１３７Ａ、第一ケース第二コア保持部材１３７Ｂ、第一ケース第三コア保持部材１３７Ｃ、及び第一ケース第四コア保持部材１３７Ｄのそれぞれには、延出方向端部位置に延出方向と直交する方向に突出する爪部が設けられており、第一ケース第一コア保持部材１３７Ａの爪部と第一ケース第三コア保持部材１３７Ｃの爪部とが互いに対向するように配置され、第一ケース第二コア保持部材１３７Ｂの爪部と第一ケース第四コア保持部材１３７Ｄの爪部とが互いに対向するように配置されている。
【００７０】
これら第一ケース第一コア保持部材１３７Ａ、第一ケース第二コア保持部材１３７Ｂ、第一ケース第三コア保持部材１３７Ｃ、第一ケース第四コア保持部材１３７Ｄ、第一ケース第一接合面１３１Ａ、及び第一ケース第二接合面１３１Ｄで囲まれた第一周壁部１３１内空間から第一コア収納部１３１ａが規定される。
【００７１】
また第一周壁部１３１の第一ケース第一接合面１３１Ａには、ｚ軸方向に向けて延出された第一掛止片部１３９Ａ、第二掛止片部１３９Ｂが設けられており、第一掛止片部１３９Ａ及び第二掛止片部１３９Ｂには、それぞれ第一掛止貫通孔１３９ａ及び第二掛止貫通孔１３９ｂが形成されている。
【００７２】
第二ケース部１０４は、第二周壁部１４１と、第二周壁部１４１の一端を塞ぐ第二周壁部第一側壁部１４２と、第二周壁部１４１の他端を塞ぐ第二周壁部第二側壁部１４３とから構成されており、ヒンジ部１０２Ａ、１０２Ｂのｙ軸方向略中央を通るｚ−ｘ平面に対して第一ケース部１０３と略同じ構成を取っている。従って、第二ケース部１０４の構成部品及び形状のうち、第一ケース部１０３に設けられている構成部品と同じ構成を取っている部品及び形状、具体的には、第二ケース第一接合面１４１Ａ、第二ケース第二接合面１４１Ｄ、第二ケース第三接合面１４２Ａ、第二ケース第四接合面１４３Ａ、第二コア部第一付勢部１４１Ｂ、第二コア第二付勢部１４１Ｃ、第二ケース第一コア保持部材１４７Ａ、第二ケース第二コア保持部材１４７Ｂ、第二ケース第三コア保持部材１４７Ｃ、第二ケース第四コア保持部材１４７Ｄ、第一ケーブル挿通溝４２ａ、第二ケーブル挿通溝１４３ａ、及び第二コア収納部１４１ａについては、第一ケース部１０３の構成部品及び形状と同一であるため、その説明を省略する。また第二ケース部１０４においては、第二ケース第一接合面１４１Ａ、第二ケース第二接合面１４１Ｄ、第二ケース第三接合面１４２Ａ、及び第二ケース第四接合面１４３Ａから第二合わせ面が構成される。
【００７３】
第二周壁部第一側壁部１４２の第二ケース部１０４内面側位置であって第一ケーブル挿通溝１４２ａ位置にｚ軸方向へ突出する第一ケーブル押さえ部１４４が設けられており、第二周壁部第二側壁部１４３の第二ケース部１０４内面側位置であって第二ケーブル挿通溝１４３ａ位置にｚ軸方向へ突出する第二ケーブル押さえ部１４５が設けられている。第一ケーブル押さえ部１４４と第二ケーブル押さえ部１４５との突出方向頂面は、ｚ軸方向において、それぞれ第二ケース第三接合面１４２Ａ上方及び第二ケース第四接合面１４３Ａ上方に位置するように構成されている。
【００７４】
また第二周壁部１４１の第二ケース第一接合面１４１Ａ上に、爪部をそれぞれ備え、第一掛止貫通孔１３９ａ及び第二掛止貫通孔１３９ｂに掛止可能な第一掛止爪部１４９Ａ、第二掛止爪部１４９Ｂが設けられている。
【００７５】
図５に示されるようにコア１０５は、第一の実施の形態に係るコア５と同じ形状であるため、説明は省略する。
【００７６】
図６に示されるように、上記構成の第一コア部１０６と第二コア部１０７とがそれぞれ第一コア収納部１３１ａと第二コア収納部１４１ａ内に収納される。この場合、例えば第一コア部１０６においては、第一切り欠き１６１ａ、第二切り欠き１６１ｂ、第三切り欠き１６１ｃ、及び第四切り欠き１６１ｄにそれぞれ第一ケース第一コア保持部材１３７Ａ、第一ケース第二コア保持部材１３７Ｂ、第一ケース第三コア保持部材１３７Ｃ、第一ケース第四コア保持部材１３７Ｄが掛止されて第一コア部１０６の第一合わせ面上方への移動が規制されると共に、第一コア第一付勢部１３１Ｂ及び第一コア第二付勢部１３１Ｃで第一コア部１０６が第一合わせ面上方へと付勢されるため、第一コア部１０６は第一コア収納部１３１ａから外れ難くなっている。第二コア部１０７においても同様の構成により、第二コア収納部１４１ａから外れ難くなっている。
【００７７】
第一コア部１０６が第一コア収納部１３１ａ内に収納された状態で、ケーブル１０９が第一ケース部１０３に巻回される。具体的には、ケーブル１０９が第一挿通溝第一溝１３２ａ１内に配置されると共に、第一保持部第一腕部１３４Ａと第一保持部第二腕部１３４Ｂとの間に配置され、そして第一コア溝１０６ａの一方の開口から第一コア溝１０６ａ内に配線された後に第一コア溝１０６ａの他方の開口から延出される。この場合にケーブル１０９は、第一保持部第一腕部１３４Ａと第一ケーブル区画用突起１３２Ｂとの間に略狭持された状態にある。
【００７８】
第一コア溝１０６ａの他方の開口から延出されたケーブル１０９は、第二保持部第一腕部１３５Ａと第二保持部第二腕部１３５Ｂとの間に配置されると共に、第二挿通溝第二溝１３３ａ２内に配置され、更に第一周壁部第二側壁部１３３外面から第一周壁部１３１外面であって第一ケース第二接合面１３１Ｄ近傍箇所に配線される。この場合にケーブル１０９は、第二保持部第二腕部１３５Ｂと第二ケーブル区画用突起１３３Ｂとの間に略狭持された状態にある。故にケーブル１０９が第一ケース部１０３に巻回される際に第一挿通溝第一溝１３２ａ１位置及び第二ケーブル挿通溝１３３ａ内の第二挿通溝第二溝１３３ａ２位置から外れ難くなるため、ケーブル１０９が緩むことなく巻回することができる。
【００７９】
ケーブル１０９は、第一周壁部１３１外面から第一周壁部第一側壁部１３２外面に配線されて、第一挿通溝第二溝１３２ａ２内に配置され、第一保持部第一腕部１３４Ａと第一保持部第二腕部１３４Ｂとの間に配置され、第一コア溝１０６ａの一方の開口から第一コア溝１０６ａ内に配線された後に第一コア溝１０６ａの他方の開口から延出され、第二保持部第一腕部１３５Ａと第二保持部第二腕部１３５Ｂとの間に配置され、第二挿通溝第一溝１３３ａ１内に配置されて第一ケース部１０３外に延出されて巻回が終了する。この場合にケーブル１０９は、第一保持部第二腕部１３４Ｂと第一ケーブル区画用突起１３２Ｂとの間及び第二保持部第一腕部１３５Ａと第二ケーブル区画用突起１３３Ｂとの間でそれぞれ狭持されているため、ケーブル１０９の巻回が終了した状態であっても、ケーブル１０９が第一ケース部１０３から脱落することや緩むことは抑制される。即ち、第一ケーブル区画用突起１３２Ｂと第二ケーブル挿通溝１３３Ｂとを設けることにより、ケーブル１０９を巻回して第一ケース部１０３内に二本分のケーブル１０９が配置される場合であっても、各ケーブル１０９の位置が正確に規定されるため、第一ケース部１０３内に安定してケーブル１０９を保持することができる。
【００８０】
また第一保持部第一腕部１３４Ａと第一保持部第二腕部１３４Ｂとの間、及び第二保持部第一腕部１３５Ａと第二保持部第二腕部１３５Ｂとの間には、それぞれ第一ケース部１０３に巻回されたケーブル１０９が二本分挿入される。上述したように、第一保持部第一腕部１３４Ａと第一保持部第二腕部１３４Ｂとの間及び第二保持部第一腕部１３５Ａと第二保持部第二腕部１３５Ｂとの間は、それぞれケーブル１０９二本分の外径より狭く構成されているため、第一保持部第一腕部１３４Ａと第一保持部第二腕部１３４Ｂ及び第二保持部第一腕部１３５Ａと第二保持部第二腕部１３５Ｂとで、二本分のケーブル１０９を弾性的に狭持することができ、第一ケース部１０３内のケーブル１０９を更に好適に保持することができる。
【００８１】
ケーブル１０９が第一ケース部１０３に保持された後に、第二ケース部１０４をヒンジ部１０２Ａ、２Ｂを支点として折り曲げ、第二ケース部１０４の第二合わせ面を第一ケース部１０３の第一合わせ面と合わせ、第一掛止貫通孔１３９ａ及び第二掛止貫通孔１３９ｂに第一掛止爪部１４９Ａ及び第二掛止爪部１４９Ｂを挿入して掛止し、第一ケース部１０３と第二ケース部１０４とが閉じられてケース１０２が構成される（図８）。この時に、ケーブル１０９は、第一ケース部１０３に保持されているため、ケーブル１０９が特定の位置からズレ難くなってばたつきが抑えられ、第一ケース部１０３と第二ケース部１０４とを組み合わせるときにも、ケーブル１０９が邪魔にならない。
【００８２】
ケース１０２が構成された状態で、第一周壁部第一側壁部１３２と第二周壁部第一側壁部１４２とから第一壁が構成され、第一ケーブル挿通溝１３２ａと第一ケーブル挿通溝４２ａとから第一ケーブル挿通孔が形成される。また、第一周壁部第二側壁部１３３と第二周壁部第二側壁部１４３とから第二壁が構成され、第二ケーブル挿通溝１３３ａと第二ケーブル挿通溝１４３ａとから第二ケーブル挿通孔が形成される。この時に第一ケーブル挿通溝１４２ａ近傍、第二ケーブル挿通溝１４３ａ近傍にはそれぞれ第一ケーブル押さえ部１４４と第二ケーブル押さえ部１４５とが設けられており、ケーブル１０９を第一ケーブル保持部１３４及び第二ケーブル保持部１３５の方へ付勢することができる。よって第一ケーブル保持部１３４及び第二ケーブル保持部１３５で保持されているケーブル１０９が外れ難くなり、より好適にケーブル１０９を保持することができる。
【００８３】
尚、本発明のノイズ吸収装置は、上記した実施の形態に限定されるものではなく、本発明の要旨を逸脱しない範囲内において種々変更を加え得ることは勿論である。例えば第一ケース部と第二ケース部とが分離した構造であって、ヒンジ部において互いに係合される構成であっても良い。また上記の実施の形態では、ケーブルをループ状にしてケース内に複数本のケーブルを通したが、これに限らず、ループ状とはせずに、一本のケーブルであっても、好適にケーブルを保持することができる。
【図面の簡単な説明】
【００８４】
【図１】本発明第１の実施の形態に係るノイズ吸収装置の分解斜視図。
【図２】本発明第１の実施の形態に係るノイズ吸収装置の平面図。
【図３】図２のIII−III線に沿った断面図。
【図４】本発明第１の実施の形態に係るノイズ吸収装置の斜視図。
【図５】本発明第２の実施の形態に係るノイズ吸収装置の分解斜視図。
【図６】本発明第２の実施の形態に係るノイズ吸収装置の平面図。
【図７】図６のVII−VII線に沿った断面図。
【図８】本発明第２の実施の形態に係るノイズ吸収装置の斜視図。
【符号の説明】
【００８５】
１、１０１・・ノイズ吸収装置
２、１０２・・ケース
３、１０３・・第一ケース部
４、１０４・・第二ケース部
５、１０５・・コア
９、１０９・・ケーブル
３１、１３１・・第一周壁部
３１ａ、１３１ａ・・第一コア収納部
３２、１３２・・第一周壁部第一側壁部
３２ａ、１３２ａ・・第一ケーブル挿通溝
３３、１３３・・第一周壁部第二側壁部
３３ａ、１３３ａ・・第二ケーブル挿通溝
３４、１３４・・第一ケーブル保持部
３４Ａ、１３４Ａ・・第一保持部第一腕部
３４Ｂ、１３４Ｂ・・第一保持部第二腕部
３５、１３５・・第二ケーブル保持部
３５Ａ、１３５Ａ・・第二保持部第一腕部
３５Ｂ、１３５Ｂ・・第二保持部第二腕部
４１、１４１・・第二周壁部
４１ａ、１４１ａ・・第二コア収納部
４２、１４２・・第二周壁部第一側壁部
４２ａ、１４２ａ・・第一ケーブル挿通溝
４３、１４３・・第二周壁部第二側壁部
４３ａ、１４３ａ・・第二ケーブル挿通溝
【図１】
2007067051.tif 000003
【図２】
2007067051.tif 000004
【図３】
2007067051.tif 000005
【図４】
2007067051.tif 000006
【図５】
2007067051.tif 000007
【図６】
2007067051.tif 000008
【図７】
2007067051.tif 000009
【図８】
2007067051.tif 000010